(57)【要約】【課題】  暗い場所であっても明るく照らして接続作業を容易に行うこと。【解決手段】  エレキギター１から延びるケーブル２の先端にプラグ３が設けられ、該プラグ３をアンプ５のジャック６に接続するようにしたケーブル接続装置において、前記プラグ３に、該プラグ３の先端部方向に点灯する案内灯８をホルダ９により着脱可能に取り付けている。【選択図】        図１
0003103552.tif 000002
【実用新案登録請求の範囲】
【請求項１】
電気機器端末から延びるケーブルの先端にプラグが設けられ、該プラグを電気機器本体のジャックに接続するようにしたケーブル接続装置において、前記プラグに、該プラグの先端部方向に点灯する案内灯が取付具により着脱可能に取り付けられてなるケーブル接続装置。
【請求項２】
前記案内灯が、発光ダイオードを先端に装着し押釦スイッチ及び電池を内蔵した筒状本体を有し、該筒状本体の外周面上部に前記押釦スイッチの押釦部が配置されており、該押釦部を押して発光ダイオードを点灯させるようにしてなる請求項１に記載のケーブル接続装置。
【請求項３】
前記押釦スイッチが、前記発光ダイオード及び電池をつなぐ回路の両端に設けた一対の電極のうち、その一方の電極に連結した皿ばねを有し、該皿ばねの中央部に前記押釦部が取り付けられており、その押釦部を押して皿ばねを弾性変位させることにより電極どうしを接続するようにしてなる請求項２に記載のケーブル接続装置。
【請求項４】
前記取付具が、上下一対のガイド孔を形成した正面視略長円形の金属製ホルダを有し、前記下側ガイド孔内に前記ケーブルを挿通してプラグをホルダに螺着させ、前記上側ガイド孔に案内灯を挿通すると共に、前記押釦部を上側ガイド孔からホルダの外周面上端に達する釦孔に挿通して該ホルダの外周面から上方に突出させてなる請求項２または３に記載のケーブル接続装置。
【請求項５】
前記取付具が正面視略逆Ｕ字形板ばねからなり、該板ばねの両側板部の中央を内側に弯曲させて左右一対の窪み部を形成することによりその板ばね内が両窪み部により上下一対のガイド空間に区切られており、上側ガイド空間内に前記案内灯を嵌入させると共に、前記押釦部を上側ガイド空間から板ばねの外周面上端に達する釦孔に挿通して該板ばねの外周面から上方に突出させ、下側ガイド空間内に前記プラグの基端部に連結したグリップ部を嵌入させてなる請求項２または３に記載のケーブル接続装置。
【請求項６】
前記電気機器端末がエレキギターからなると共に、電気機器本体がアンプからなる請求項１〜５のいずれかに記載のケーブル接続装置。
【考案の詳細な説明】
【技術分野】
【０００１】
本考案は、暗い場所であっても明るく照らして接続作業を容易に行うことができるようにしたケーブル接続装置に関する。
【背景技術】
【０００２】
従来、例えばエレキバンドのコンサートで演奏者がステージ上に上がって演奏をする場合には、図１１に示すように、エレキギター（電気機器端末）１から延びるケーブル２の先端に設けたプラグ３の基端部に連結したグリップ部４を把持して該プラグ３をアンプ（電気機器本体）５のジャック６に差し込み、エレキギター１をアンプ５に電気的に接続することが行われている。
【考案の開示】
【考案が解決しようとする課題】
【０００３】
上記従来の構成では、ステージ上のアンプ５の付近が暗くて、ジャック６を目視で確認することが難しい場合があり、演奏者は指先でジャック６の位置を確認してプラグ３を差し込んでいるが、これでは、ジャック６の位置を確認するのに時間がかかると共に、指先をジャック６に接触させることにより感電するおそれもある。
【０００４】
本考案は、上記従来の欠点に鑑み、暗い場所であっても明るく照らして接続作業を容易に行うことができるようにしたケーブル接続装置を提供することを目的としている。
【課題を解決するための手段】
【０００５】
上記目的を達成するための構成を実施の形態に対応する図面に基づいて説明すると、請求項１に記載の発明は、図１〜図６に示すように、電気機器端末１から延びるケーブル２の先端にプラグ３が設けられ、該プラグ３を電気機器本体５のジャック６に接続するようにしたケーブル接続装置において、前記プラグ３に、該プラグ３の先端部方向に点灯する案内灯８が取付具９，１９により着脱可能に取り付けられてなる構成を採用するものである。
【０００６】
請求項２に記載の考案は、請求項１に記載の考案において、前記案内灯８が、発光ダイオードＬＥＤを先端に装着し押釦スイッチ１０及び電池１１を内蔵した筒状本体８ａを有し、該筒状本体８ａの外周面上部に前記押釦スイッチ１０の押釦部１０ａが配置されており、該押釦部１０ａを押して発光ダイオードＬＥＤを点灯させるようにしてなる構成を採用するものである。
【０００７】
請求項３に記載の考案は、請求項２に記載の考案において、前記押釦スイッチ１０が、前記発光ダイオードＬＥＤ及び電池１１をつなぐ回路１２の両端に設けた一対の電極１３ａ，１３ｂのうち、その一方の電極１３ａに連結した皿ばね１０ｂを有し、該皿ばね１０ｂの中央部に前記押釦部１０ａが取り付けられており、その押釦部１０ａを押して皿ばね１０ｂを弾性変位させることにより電極１３ａ，１３ｂどうしを接続するようにしてなる構成を採用するものである。
【０００８】
請求項４に記載の考案は、請求項２または３に記載の考案において、前記取付具が、上下一対のガイド孔１５，１６を形成した正面視略長円形の金属製ホルダ９を有し、前記下側ガイド孔１６内に前記ケーブル２を挿通してプラグ３をホルダ９に螺着させ、前記上側ガイド孔１５に案内灯８を挿通すると共に、前記押釦部１０ａを上側ガイド孔１５からホルダ９の外周面上端に達する釦孔１５ａに挿通して該ホルダ９の外周面から上方に突出させてなる構成を採用するものである。
【０００９】
請求項５に記載の考案は、図７〜図１０に示すように、請求項２または３に記載の考案において、前記取付具が正面視略逆Ｕ字形板ばね１９からなり、該板ばね１９の両側板部１９ａ，１９ｂの中央を内側に弯曲させて左右一対の窪み部２０を形成することによりその板ばね１９内が両窪み部２０により上下一対のガイド空間２１，２２に区切られており、上側ガイド空間２１内に前記案内灯８を嵌入させると共に、前記押釦部１０ａを上側ガイド空間２１から板ばね１９の外周面上端に達する釦孔２１ａに挿通して該板ばね１９の外周面から上方に突出させ、下側ガイド空間２２内に前記プラグ３の基端部に連結したグリップ部４を嵌入させてなる構成を採用するものである。
【００１０】
請求項６に記載の考案は、請求項１〜５のいずれかに記載の考案において、前記電気機器端末がエレキギター１からなると共に、電気機器本体がアンプ５からなる構成を採用するものである。
【考案の効果】
【００１１】
請求項１に記載の考案によれば、電気機器端末１から延びるケーブル２の先端に設けたプラグ３を電気機器本体５のジャック６に接続する場合に、その電気機器本体５の付近が暗くても、プラグ３に取付具９，１９で取り付けた案内灯８によりジャック６を照らして、該ジャック６にプラグ３を容易に差し込むことができ、従来のようにジャック６を確認するのに指先を接触させる必要がないので、感電するおそれがなく、安全性が高い。
【００１２】
請求項２に記載の考案によれば、高輝度超寿命で小電力の発光ダイオードＬＥＤを点灯させるので、プラグ３の前方をピンポイントで照明することができ経済性に優れた案内灯８を提供することができる。
【００１３】
請求項３に記載の考案によれば、押釦スイッチ１０の主要部分を形成する皿ばね１０ｂが小さくて繰り返しの負荷に長期にわたって耐えるから、その押釦スイッチ１０を案内灯８内の狭い空間に嵩張らないように内蔵させることができると共に、長期にわたって無故障で使用することができる。
【００１４】
請求項４に記載の考案によれば、ホルダ９の下側ガイド孔１６内にケーブル２を挿通してプラグ３をホルダ９に螺着させると共に、上側ガイド孔１５に案内灯８を挿通するだけで、その案内灯８をプラグ３に簡単確実に取り付けることができる。また、金属からなるホルダ９でケーブル２の先端とプラグ３との繋ぎ部を覆ってシールドしているので、その繋ぎ部に外部から電波が侵入してノイズが生じるのを阻止することができる。更に、片手でホルダ９を把持して親指で該ホルダ９の外周面から上方に突出する押釦部１０ａを押すだけで、発光ダイオードＬＥＤを点灯させてプラグ３の前方を照らすことができ、使い勝手がよい。
【００１５】
請求項５に記載の考案によれば、板ばね１９内の上側ガイド空間２１内に案内灯８を嵌入させると共に、下側ガイド空間２２内にプラグ３の基端部に連結したグリップ部４を嵌入させるだけで、その案内灯８をプラグ３に簡単確実に取り付けることができる。また、片手でグリップ部４を把持して親指で板ばね１９の外周面から上方に突出する押釦部１０ａを押すだけで、発光ダイオードＬＥＤを点灯させてプラグ３の前方を照らすことができ、使い勝手がよい。
【００１６】
請求項６に記載の考案によれば、例えばエレキバンドのコンサートで演奏者がステージ上に上がって演奏をする場合に、そのステージ上のアンプ５の付近が暗くて、ジャック６を目視で確認することが難しいときでも、プラグ３に取り付けた案内灯８によりジャック６を照らして、該ジャック６にプラグ３を容易に差し込むことができる。
【考案を実施するための最良の形態】
【００１７】
図１〜図６は本考案の第１の実施の形態であるケーブル接続装置を示すものであって、エレキギター１から延びるケーブル２の先端に設けたプラグ３に、該プラグ３の先端部方向に点灯する案内灯８が金属製ホルダ（取付具）９により着脱可能に取り付けられている。上記以外の構成は図１１に示す従来例とほぼ同じであるから、同一部分に同一番号を付してその説明を省略する。
【００１８】
前記案内灯８は、図５及び図６に示すように、発光ダイオードＬＥＤを先端に装着し押釦スイッチ１０及び例えば３個（合計６Ｖ）の釦電池を直列させた電池１１を内蔵した筒状本体８ａを有し、該筒状本体８ａの外周面上部に押釦スイッチ１０の押釦部１０ａが配置され、前記押釦スイッチ１０は、発光ダイオードＬＥＤ及び電池１１をつなぐ回路１２の両端に設けた一対の電極１３ａ，１３ｂのうち、その一方の電極１３ａに連結した皿ばね１０ｂを有し、該皿ばね１０ｂの中央部に前記押釦部１０ａが取り付けられており、その押釦部１０ａを押して皿ばね１０ｂを弾性変位させることにより（図６仮想線参照）、皿ばね１０ｂを介して電極１３ａ，１３ｂどうしを接続して、発光ダイオードＬＥＤを点灯させる。
【００１９】
前記ホルダ９は、図２〜図５に示すように、正面視略長円形であって、上下一対のガイド孔１５，１６を有し、下側ガイド孔１６内にケーブル２を挿通してプラグ３の基端ねじ部３ａをホルダ９に螺着させ、上側ガイド孔１５に案内灯８を挿通すると共に、押釦部１０ａを上側ガイド孔１５からホルダ９の外周面上端に達する釦孔１５ａに挿通して該ホルダ９の外周面から上方に突出させている。なお、１７は上側ガイド孔１５の後端部に螺合させた抜止栓である。
【００２０】
上記構成において、例えばエレキバンドのコンサートで演奏者がステージ上に上がって演奏をする場合に、そのステージ上のアンプ５の付近が暗くて、ジャック６を目視で確認することが難しいときでも、図１に示すように、片手でホルダ９を把持し親指で押釦部１０ａを押して発光ダイオードＬＥＤを点灯させることにより、ジャック６を照らして、該ジャック６にプラグ３を差し込めばよい。この場合、従来のようにジャック６を確認するのに指先を接触させる必要がないので、感電するおそれがなく、安全性が高い。
【００２１】
また、高輝度超寿命で小電力の発光ダイオードＬＥＤを点灯させるので、プラグ３の前方をピンポイントで照明することができ経済性に優れた案内灯を提供することができる。更に、押釦スイッチ１０の主要部分を形成する皿ばね１０ｂが小さくて繰り返しの負荷に長期にわたって耐えるから、その押釦スイッチ１０を案内灯８内の狭い空間に嵩張らないように内蔵させることができると共に、長期にわたって無故障で使用することができる。
【００２２】
しかも、ホルダ９の下側ガイド孔１６内にケーブル２を挿通してプラグ３をホルダ９に螺着させると共に、上側ガイド孔１５に案内灯８を挿通するだけで、その案内灯８をプラグ３に簡単確実に取り付けることができる。また、金属からなるホルダ９でケーブル２の先端とプラグ３との繋ぎ部を覆ってシールドしているので、その繋ぎ部に外部から電波が侵入してノイズが生じるのを阻止することができる。更に、片手でホルダ９を把持して親指で該ホルダ９の外周面から上方に突出する押釦部１０ａを押すだけで、プラグ３の前方を照らすことができ、使い勝手がよい。
【００２３】
図７〜図１０は本考案の第２の実施の形態であるケーブル接続装置を示すものであって、エレキギター１から延びるケーブル２の先端に設けたプラグ３に、該プラグ３の先端部方向に点灯する案内灯８が板ばね（取付具）１９により着脱可能に取り付けられている。上記以外の構成は図１〜図６に示す第１の実施の形態とほぼ同じであるから、同一部分に同一番号を付してその説明を省略する。
【００２４】
前記板ばね１９は、正面視略逆Ｕ字形に形成されており、該板ばね１９の両側板部１９ａ，１９ｂの中央を内側に弯曲させて左右一対の窪み部２０を形成することによりその板ばね１９内が両窪み部２０により上下一対のガイド空間２１，２２に区切られており、上側ガイド空間２１内に案内灯８を嵌入させると共に、押釦部１０ａを上側ガイド空間２１から板ばね１９の外周面上端に達する釦孔２１ａに挿通して該板ばね１９の外周面から上方に突出させ、下側ガイド空間２２内にプラグ３の基端部に連結したグリップ部４を嵌入させている。なお、２３は案内灯８の筒状本体８ａの基端部に形成した連結孔２４に挿通したチェンであって、該チェン２３をケーブル２に巻き付けることにより、案内灯８をプラグ３に一層確実に取り付けることができる（図７参照）。
【００２５】
上記構成によれば、第１の実施の形態とほぼ同じ効果を得ることができ、特に、板ばね１９内の上側ガイド空間２１内に案内灯８を嵌入させると共に、下側ガイド空間２２内にプラグ３のグリップ部４を嵌入させるだけで、その案内灯８をプラグ３に簡単確実に取り付けることができる。また、片手でグリップ部４を把持して親指で板ばね１９の外周面から上方に突出する押釦部１０ａを押すだけで、発光ダイオードＬＥＤを点灯させてプラグ３の前方を照らすことができ、使い勝手がよい。
【産業上の利用可能性】
【００２６】
上記の第１、第２の実施の形態では、ケーブル２でエレキギター１をアンプ５に接続する場合を例にあげて説明したが、これに限定されるわけではなく、各種の電気機器端末を電気機器本体に接続する場合にも適用することができる。
【図面の簡単な説明】
【００２７】
【図１】本考案の第１の実施の形態であるケーブル接続装置を示す斜視図である。
【図２】同要部の斜視図である。
【図３】同要部の縦断面図である。
【図４】図３のＡ−Ａ矢視図である。
【図５】同要部の分解斜視図である。
【図６】同点灯手順を示す回路図である。
【図７】本考案の第２の実施の形態であるケーブル接続装置を示す要部の斜視図である。
【図８】同要部の縦断面図である。
【図９】図８のＢ−Ｂ矢視図である。
【図１０】同要部の分解斜視図である。
【図１１】従来例を示す斜視図である。
【符号の説明】
【００２８】
１              エレキギター（電気機器端末）
２              ケーブル
３              プラグ
４              グリップ部
５              アンプ（電気機器本体）
６              ジャック
８              案内灯
８ａ            案内灯の筒状本体
９              ホルダ（取付具）
１０            押釦スイッチ
１０ａ          押釦部
１１            電池
１２            回路
１３ａ，１３ｂ  電極
１５            上側ガイド孔
１５ａ          釦孔
１６            下側ガイド孔
１９            板ばね（取付具）
１９ａ，１９ｂ  板ばねの側板部
２０            窪み部
２１            上側ガイド空間
２２            下側ガイド空間
ＬＥＤ          発光ダイオード
【図１】
0003103552.tif 000003
【図２】
0003103552.tif 000004
【図３】
0003103552.tif 000005
【図４】
0003103552.tif 000006
【図５】
0003103552.tif 000007
【図６】
0003103552.tif 000008
【図７】
0003103552.tif 000009
【図８】
0003103552.tif 000010
【図９】
0003103552.tif 000011
【図１０】
0003103552.tif 000012
【図１１】
0003103552.tif 000013